(57)【要約】  室外情報取得装置（１０）は、室外環境の状態を特定するための室外情報を取得する。室内情報取得装置（２０）と室内機（３００）とは、室内環境の状態を特定するための室内情報を取得する。リモコン（４００）は、室外環境の状態と室内環境の状態とに基づいて、室外の快適さの度合いを特定し、室外の快適さの度合いを示す情報を報知する。
2016166815.tif 000002
【特許請求の範囲】
【請求項１】
室外環境の状態を特定するための室外情報を取得する室外情報取得部と、
室内環境の状態を特定するための室内情報を取得する室内情報取得部と、
前記室外環境の状態と前記室内環境の状態とに基づいて、室外の快適さの度合いを特定する特定部と、
前記室外の快適さの度合いを示す情報を出力する報知部と、
を備える室外環境情報解析システム。
【請求項２】
前記室外情報取得部は、前記室外情報として、室外温度と室外湿度と室外の紫外線量の各測定値を取得し、
前記室内情報取得部は、前記室内情報として、室内温度と室内湿度と室内の紫外線量の各測定値を取得し、
前記特定部は、前記室外情報により特定される前記室外環境の状態と、前記室内情報により特定される前記室内環境の状態と、の差に基づいて、前記室外の快適さの度合いを特定する、
請求項１に記載の室外環境情報解析システム。
【請求項３】
前記特定部は、前記室外温度及び前記室外湿度とから室外における不快指数を、前記室内温度及び前記室内湿度とから室内における不快指数を求め、前記室外における不快数と前記室内における不快指数との差と、前記室外の紫外線量と前記室内の紫外線量の差と、に基づいて、前記室外の快適さの度合いを特定する、
請求項２に記載の室外環境情報解析システム。
【請求項４】
前記室外情報取得部が取得する前記室外情報には、さらに室外の風速の測定値が含まれ、
前記室外の風速が決められた閾値より大きいあるいは小さい場合に、前記特定部は、前記室外温度及び前記室外湿度とから求めた前記室外における不快指数の値を加減する、
請求項３に記載の室外環境情報解析システム。
【請求項５】
前記特定部は、前記室外温度と前記室外湿度とから室外における体感温度を、前記室内温度及び前記室内湿度とから室内における体感温度を求め、前記室外における体感温度と前記室内における体感温度との差に基づいて、前記室外の快適さの度合いを特定する、
請求項２に記載の室外環境情報解析システム。
【請求項６】
室外環境の状態を特定するための室外情報を取得する室外情報取得ステップと、
室内環境の状態を特定するための室内情報を取得する室内情報取得ステップと、
前記室外環境の状態と前記室内環境の状態とに基づいて、室外の快適さの度合いを特定する推奨度特定ステップと、
前記室外の快適さの度合いを示す情報を出力する報知ステップと、
を有する室外環境情報解析方法。
【請求項７】
コンピュータに、
室外環境の状態を特定するための室外情報を取得する室外情報取得機能と、
室内環境の状態を特定するための室内情報を取得する室内情報取得機能と、
前記室外環境の状態と前記室内環境の状態とに基づいて、室外の快適さの度合いを特定する推奨度特定機能と、
前記室外の快適さの度合いを示す情報を出力する報知機能と、
を実現させるプログラム。
【発明の詳細な説明】
【技術分野】
【０００１】
本発明は、室外環境情報解析システム、室外環境情報解析方法、及びプログラムに関する。
【背景技術】
【０００２】
室内機と室外機を有する電気機器を利用して、室外の気温等の情報を室内にいるユーザに報知するシステムが知られている。例えば、特許文献１に開示されている空気調和機は、室外機に設けられたセンサにより測定した温度、湿度等の室外環境に関する情報を処理して、洗濯指数や将来の天気の予想等を求め、求めた洗濯指数、現在及び将来の天気の情報を室内機に設けられた報知部を介して報知する。
【先行技術文献】
【特許文献】
【０００３】
【特許文献１】特開２００２−３５０５５８号公報
【発明の概要】
【発明が解決しようとする課題】
【０００４】
特許文献１に開示されている空気調和機は、室外環境に関する情報だけを処理している。このため、ユーザは、空調された室内環境と室外環境とがどれほどかけ離れているか、さらに、室内環境に比べて室外環境がどの程度快適あるいは不快であるかを知ることはできない。【０００５】
室内にいるユーザが、外出に先立って、室内環境と比較して室外環境がどの程度快適あるいは不快であるかを知ることができるなら、ユーザは、室外環境に応じた行動をとることができる。例えば、ユーザは、室外が暑すぎる又は寒すぎるので、外出を控える、あるいは屋外に長時間滞在しないようにすることができる。外出を控える等のユーザの行動により、真夏であれば、熱中症といった健康上の問題の発生を事前に防止することができる。また、室外が快適であるにもかかわらず、室内の空調を行っている場合に、空調を停止して、省エネルギーに資すことも可能となる。【０００６】
本発明は、上述の事情の下になされたもので、室外環境と室内環境とに基づいた室外環境の快適性を示す情報を、室内にいるユーザに報知することを目的とする。
【課題を解決するための手段】
【０００７】
上記目的を達成するため、本発明に係る室外環境情報解析システムの室外情報取得部は、室外環境の状態を特定するための室外情報を取得する。室内情報取得部は、室内環境の状態を特定するための室内情報を取得する。特定部は、室外環境の状態と室内環境の状態とに基づいて、室外の快適さの度合いを特定する。報知部は、室外の快適さの度合いを示す情報を出力する。
【発明の効果】
【０００８】
本発明によれば、室外環境と室内環境とに基づいた室外環境の快適性を示す情報を、室内にいるユーザに報知することができる。
【図面の簡単な説明】
【０００９】
【図１】空気調和機の構成を示すブロック図である。
【図２】室外情報取得装置の室外情報テーブルに格納されるデータの例を示す図である。
【図３】室内情報取得装置の室内情報テーブルに格納されるデータの例を示す図である。
【図４】室内機の室内情報テーブルに格納されるデータの例を示す図である。
【図５】リモコンの正面図である。
【図６Ａ】リモコンの室外情報テーブルに格納されるデータの例を示す図である。
【図６Ｂ】リモコンの室内情報テーブルに格納されるデータの例を示す図である。
【図６Ｃ】アドバイステーブルに格納されるデータの例を示す図である。
【図７】室外情報取得装置による室外情報の取得処理のフローチャートである。
【図８】室内情報取得装置による室内情報の取得処理のフローチャートである。
【図９】室内機による室内情報の取得処理のフローチャートである。
【図１０】リモコンによる室内情報と室外情報の記録処理のフローチャートである。
【図１１】リモコンによる室外情報解析処理を示すフローチャートである。
【発明を実施するための形態】
【００１０】
以下、本発明の実施の形態に係る室外環境情報解析システムを、室外環境情報解析機能を備える空気調和機１を例に、図面を参照しながら説明する。
【００１１】
（実施の形態）
図１に、実施の形態に係る空気調和機１の構成を示す。空気調和機１は、通常の空調機能と共に、屋外（室外）の環境に関する情報と室内の環境に関する情報とを解析し、室外の環境の快適さの度合いを示す情報をユーザに報知する機能を備える。
【００１２】
空気調和機１は、室内機３００と、室内機３００と協働して空調機能を提供する室外機５００と、空気調和機１の動作を制御するリモコン４００を備える。空気調和機１は、さらに、室外の環境に関する情報を取得する室外情報取得装置１０と、室内の環境に関する情報を取得する室内情報取得装置２０とを備える。
【００１３】
以下、各部の構成を順に説明する。なお、以下の説明において、室外の環境に関する情報には、室外の温度、室外の湿度、室外の紫外線量の測定値（物理量）が含まれる。また、室外の温度、室外の湿度、室外の紫外線量の測定値をまとめて室外情報という場合がある。室内の環境に関する情報には、室内の温度、室内の湿度、室内の紫外線量の測定値（物理量）が含まれる。室内の温度、室内の湿度、室内の紫外線量の測定値をまとめて室内情報という場合がある。
【００１４】
まず、室外情報を取得する室外情報取得部として機能する室外情報取得装置１０の構成を説明する。室外情報取得装置１０は屋外に設置されている。室外情報取得装置１０は、複数のセンサを含む室外測定部１１０と、無線通信のためのＲＦ（Radio Frequency）モジュール１２０、現在時刻を計時するＲＴＣ（Real-Time Clock）１３０、プログラムとデータとを格納するメモリ１４０、プログラムを実行して室外情報取得装置１０を制御するＭＰＵ（Micro Processor Unit）１５０、を備える。室外測定部１１０とＲＦモジュール１２０とＲＴＣ１３０とメモリ１４０とは、バスを介してＭＰＵ１５０に接続されている。室外情報取得装置１０は、図示しない電力線を介して供給される電力又はバッテリを電源として動作する。
【００１５】
室外測定部１１０は、温度センサ１１１と湿度センサ１１２と紫外線センサ１１３とを含む。温度センサ１１１は、室外の気温（以下、室外温度という）を測定する。湿度センサ１１２は、室外の湿度（以下、室外湿度という）を測定する。紫外線センサ１１３は、室外の紫外線量を測定する。室外測定部１１０は、ＭＰＵ１５０の制御に従って、温度センサ１１１、湿度センサ１１２、紫外線センサ１１３が測定した各測定値をＭＰＵ１５０に出力する。
【００１６】
ＲＦモジュール１２０は、ＭＰＵ１５０の制御に従って、無線通信可能な他の機器と無線通信を行う。例えば、ＲＦモジュール１２０は、室外測定部１１０が取得した室外情報をリモコン４００に無線で送信する。
【００１７】
ＲＴＣ１３０は、室外情報取得装置１０の電源とは異なる電源（電池等）により動作し、現在時刻を計時する。ＲＴＣ１３０は、ＭＰＵ１５０から現在時刻を要求されると、現在時刻をＭＰＵ１５０に通知する。
【００１８】
メモリ１４０は、フラッシュメモリ等から構成され、室外情報テーブル１４１を備える。図２に示すように、室外情報テーブル１４１には、測定値が取得された日時（年月日及び時刻）、室外情報（温度、湿度、紫外線量）が格納される。
【００１９】
図１に示すＭＰＵ１５０は、プロセッサ、ワークメモリ等を備え、メモリ１４０に格納されたプログラムを実行して、室外情報取得装置１０を制御する。
【００２０】
ＭＰＵ１５０は、定期的（例えば、毎時０分と３０分）に、室外測定部１１０（温度センサ１１１、湿度センサ１１２、紫外線センサ１１３）に、室外温度、室外湿度、室外の紫外線量を測定させる。ＭＰＵ１５０は、室外測定部１１０から測定値を取得し、ＲＴＣ１３０により計時された現在時刻と対応づけて、メモリ１４０の室外情報テーブル１４１に格納する。また、ＭＰＵ１５０は、定期的（例えば、毎時２０分と５０分）に、室外情報テーブル１４１に格納されている測定値のうち取得日時が最新の測定値を、ＲＦモジュール１２０を介してリモコン４００に送信する。
【００２１】
次に、室内情報取得装置２０の構成を説明する。室内情報取得装置２０は室内情報を取得し、取得した室内情報をリモコン４００に送信する。すなわち、室内情報取得装置２０は、室内機３００とともに、室内情報取得部として機能する。
【００２２】
室内情報取得装置２０は、室内に設置されている。室内情報取得装置２０は、室内情報のうちの室内の紫外線量の測定値を取得する室内測定部２１０、無線通信のためのＲＦモジュール２２０、現在時刻を計時するＲＴＣ２３０、プログラムとデータを格納するメモリ２４０、プログラムを実行して室内情報取得装置２０を制御するＭＰＵ２５０、を含む。室内測定部２１０とＲＦモジュール２２０とＲＴＣ２３０とメモリ２４０とは、バスを介してＭＰＵ２５０に接続されている。室内情報取得装置２０は、図示しない電力線を介して供給される電力又はバッテリを電源として動作する。
【００２３】
室内測定部２１０は、紫外線センサ２１１を備え、紫外線センサ２１１により測定した室内の紫外線量の測定値をＭＰＵ２５０に出力する。ＲＦモジュール２２０は、無線通信モジュールである。ＲＴＣ２３０は、現在時刻を計時する。
【００２４】
メモリ２４０はフラッシュメモリ等から構成され、室内情報テーブル２４１を備える。図３に示すように、室内情報テーブル２４１には、紫外線量の測定値が取得された日時（年月日及び時刻）、紫外線量の測定値が対応づけて格納される。
【００２５】
図１に示すＭＰＵ２５０は、定期的（例えば、毎時０分と３０分）に、室内測定部２１０（紫外線センサ２１１）に室内の紫外線量を測定させる。ＭＰＵ２５０は、室内測定部２１０から測定値を取得し、ＲＴＣ２３０により計時された現在時刻と対応づけて、室内情報テーブル２４１に格納する。また、ＭＰＵ２５０は、定期的（例えば、毎時２０分と５０分）に、室内情報テーブル２４１に格納されている測定値のうち、取得日時が最新の測定値をＲＦモジュール２２０を介してリモコン４００に送信する。
【００２６】
室内機３００は、室内に設置されており、冷媒配管Ｐ１及び通信線Ｃ１を介して室外機５００に接続されている。室内機３００は、通常の空気調和機の室内機と同様にリモコン４００からの操作指示に従い、室外機５００と協働して空気調和に係る各種運転を行う。
【００２７】
室内機３００は、空気調和の処理を行うため、室温等の室内環境情報を取得するためのセンサを備えており、本実施の形態では、室内機３００は、各センサが取得した室内情報をリモコン４００に送信する。すなわち、室内機３００は、室内情報取得装置２０とともに、室内情報を取得する室内情報取得部として機能する。
【００２８】
具体的に説明すると、室内機３００は、室内温度と室内湿度とを測定する室内測定部３１０、ＲＦモジュール３２０、ＲＴＣ３３０、メモリ３４０、ＭＰＵ３５０を備える。室内測定部３１０とＲＦモジュール３２０とＲＴＣ３３０とメモリ３４０とは、バスを介してＭＰＵ３５０に接続されている。室内機３００は、電力線（図示せず）を介して供給された電力で動作する。
【００２９】
室内測定部３１０は、室内機３００の空気吸込口の周辺に設置された、温度センサ３１１と湿度センサ３１２を有する。温度センサ３１１は、室内機３００の吸込空気の温度を測定する。湿度センサ３１２は、室内機３００の吸込空気の湿度を測定する。室内測定部３１０は、温度センサ３１１が測定した温度と湿度センサ３１２が測定した湿度とを、ＭＰＵ３５０に出力する。
【００３０】
ＲＦモジュール３２０は、室内測定部３１０が取得した室内温度と室内湿度の各測定値をリモコン４００に送信する。ＲＴＣ３３０は現在時刻を計時する。
【００３１】
メモリ３４０は、フラッシュメモリ等から構成され、室内温度と室内湿度の各測定値を格納するための室内情報テーブル３４１を備える。図４に示すように、室内情報テーブル３４１には、測定値が取得された日時（年月日及び時刻）、温度と湿度の各測定値が対応づけて格納される。室内情報テーブル３４１に格納されるデータは、室内測定部３１０が新たな測定値を取得するたび、上書きされる。
【００３２】
ＭＰＵ３５０は、室内機３００が運転している間、決められた時刻に（毎時０分と３０分）、室内測定部３１０（温度センサ３１１、湿度センサ３１２）に室内温度、室内湿度を測定させる。ＭＰＵ３５０は、取得した室内温度と室内湿度の各測定値をＲＴＣ３３０が計時した現在時刻と対応づけて、メモリ３４０の室内情報テーブル３４１に格納する。また、ＭＰＵ３５０は、リモコン４００から室内温度と室内湿度の各測定値を要求されると、室内情報テーブル３４１に格納されている測定値のうち取得日時が最新の測定値を、ＲＦモジュール３２０を介してリモコン４００に送信する。
【００３３】
リモコン４００は室内機３００に無線あるいは有線で接続されている。リモコン４００は、従来の空気調和機のリモコンと同様に、ユーザの操作指示を示す信号を室内機３００に送信する。
【００３４】
さらに、リモコン４００は、室外情報と室内情報とに基づいて、室外の快適さの度合い（外出推奨度）を特定する特定部、及び特定した外出推奨度を報知する報知部として機能する。具体的には、リモコン４００は、室外情報と室内情報とを処理し、室外情報から室外環境の状態を、室内情報から室内環境の状態を特定する。リモコン４００は、室内環境の状態との差に基づいて、室外の快適さの度合い（外出推奨度）を特定する。さらに、リモコン４００は、特定した外出推奨度に関する情報として、外出推奨度に対応した外出に関するアドバイスをユーザに報知（提示）する。以下の説明において、上述の室外情報取得装置１０、室内情報取得装置２０、室内機３００と同様の構成については、その詳細な説明を省略する。なお、以下、室外及び室内の環境に関する情報の解析、室外環境の快適性を示す情報の報知の処理に係る構成を中心に説明する。
【００３５】
リモコン４００は、ユーザインターフェースである入力装置４１０、無線通信のためのＲＦモジュール４２０、現在時刻を計時するＲＴＣ４３０、各種プログラム・データを記憶するメモリ４４０、プログラムを実行してリモコン４００を制御するＭＰＵ４５０、ユーザインターフェースである表示装置４６０、を備える。入力装置４１０とＲＦモジュール４２０とＲＴＣ４３０とメモリ４４０と表示装置４６０とは、バスを介してＭＰＵ４５０に接続されている。リモコン４００は、電力線（図示せず）を介して供給された電力あるいは電池（図示せず）を電源として動作する。
【００３６】
入力装置４１０は、各種ボタンを含み、ボタン操作によるユーザの指示を示す情報信号をＭＰＵ４５０に出力する。図５にリモコン４００の外観（正面）を示す。入力装置４１０は、空気調和機１の運転開始又は停止を指示するための運転入／切ボタン４１１、設定温度を調節するための温度ボタン４１５、設定湿度を調節するための湿度ボタン４１６、各種運転を切り替えるための冷房ボタン４１２、除湿ボタン４１３、暖房ボタン４１４を備える。さらに、リモコン４００は、外出に関するアドバイスを要求するためのお知らせボタン４１７を備える。入力装置４１０は各種ボタンの代わりに、タッチパネルを備えてもよい。
【００３７】
ＲＦモジュール４２０は、ＭＰＵ４５０の制御に従って、室外情報取得装置１０、室内情報取得装置２０、室内機３００とそれぞれ無線通信を行う。ＲＴＣ４３０は、現在時刻を計時する。
【００３８】
メモリ４４０は、フラッシュメモリ等から構成され、室外情報テーブル４４１、室内情報テーブル４４２を備える。室外情報テーブル４４１には、室外情報取得装置１０から供給された室外情報が格納される。図６Ａに示すように、室外情報テーブル４４１の構成は、図２に示す室外情報取得装置１０の室外情報テーブル１４１と同様である。室内情報テーブル４４２には、室内情報取得装置２０及び室内機３００から供給された室内情報が格納される。
図６Ｂに示すように、室内情報テーブル４４２には、室内情報の測定値が取得された日時（年月日及び時刻）、温度（室内温度）、湿度（室内湿度）、紫外線量の測定値が対応づけて格納される。リモコン４００に新たな室外情報、室内情報が供給されるたび、室外情報テーブル４４１、室内情報テーブル４４２に格納される室外情報、室内情報は上書きされる。
【００３９】
さらに、メモリ４４０は、外出推奨度の算出のための数式の情報を格納した数式テーブル４４３、図６Ｃに示すような外出推奨度に対応したユーザへのアドバイスの情報を格納したアドバイステーブル４４４を格納する。
【００４０】
再び、図１を参照する。ＭＰＵ４５０は、プロセッサ、ワークメモリ等を備え、メモリ４４０に格納されたプログラムを実行して、リモコン４００を制御する。
【００４１】
ＭＰＵ４５０は、室外情報取得装置１０、室内情報取得装置２０、室内機３００から供給された室内情報と室外情報の測定値を室内情報テーブル４４２に格納する。また、ＭＰＵ４５０は、決められたタイミングで（例えば、ユーザから外出に関するアドバイスの要求があったとき）、室内情報テーブル４４２に格納されている室内情報と室外情報の測定値を解析し、外出に関するアドバイスを表示装置４６０に表示させる。
【００４２】
表示装置４６０は、図５に示すように、２つの液晶画面４６１、４６２を備えＭＰＵ４５０の制御に従って、液晶画面４６１、４６２に各種情報を表示する。液晶画面４６１には、空気調和機１の運転に関する情報が表示される。図示する例では、液晶画面４６１に、現在時刻、温度（設定温度）、湿度（設定湿度）、外気温（室外温度）、外湿度（室外湿度）が表示されている。液晶画面４６２には、外出推奨に関するアドバイス等の付加的な情報が表示される。
【００４３】
再び図１を参照する。室外機５００は、室外に設置されており、冷媒配管Ｐ１及び通信線Ｃ１を介して室内の室内機３００に接続されている。室外機５００は、室内機３００と協働して、冷媒配管Ｐ１内の冷媒を循環させることで、冷房運転、暖房運転等の各種運転を行う。また、室外機５００は、通信線Ｃ１を介して、室内機３００と運転に関する制御信号等の送受信を行う。なお、本実施の形態において、室外機５００は、室外及び室内の環境に関する情報の解析、室外環境の快適性を示す情報の報知に係る処理は行わない。
【００４４】
以下、リモコン４００が、室外の快適さの度合いを示す外出推奨度を特定する具体的な手法を説明する。なお、室外及び室内の各測定値は最新の（取得日時が現在時刻に最も近い）測定値を使用する。
【００４５】
リモコン４００は、まず、室外、室内それぞれについて、測定された温度と湿度から不快指数を算出する。不快指数とは、人間が生活するうえで不快を感じるような体感を，気温と湿度で表した指数である。温度（気温）をＴ（℃）、湿度をＨ（％）とすると、不快指数は以下のような式で表される。
不快指数＝０．８１×Ｔ＋０．０１×Ｈ×（０．９９×Ｔ−１４．３）＋４６．３
【００４６】
リモコン４００は、室外及び室内のそれぞれの温度と湿度の測定値を使用して、上述の式から室外及び室内の不快指数を算出する。一般的に、人が快適さを感じるときの不快指数は６５〜７０であることが知られている。ここでは、その中間の値である６７．５を人が最も快適さを感じる最適値とする。リモコン４００は、室外及び室内の不快指数それぞれが最適値（６７．５）からどれくらい離れているかを求める。具体的には、リモコン４００は、以下の式に示すように、室外、室内それぞれの不快指数と最適値との差の絶対値を求める。
室外についての差Ｄ１＝｜６７．５−室外の不快指数｜
室内についての差Ｄ２＝｜６７．５−室内の不快指数｜
【００４７】
そして、室外環境と室内環境とを比較するため、リモコン４００は、以下の式を使用して、差Ｄ１と差Ｄ２の差の絶対値である室外環境と室内環境の差分Ｄ３を求める。
差分Ｄ３＝｜室外についての差Ｄ１−室内についての差Ｄ２｜
【００４８】
上述の室外環境と室内環境の差分Ｄ３は、室外環境と室内環境がどの程度かけ離れているかを示す値である。この差分Ｄ３の値が大きいほど、室内環境と室外環境の状態がかけ離れているといえる。すなわち、差分Ｄ３の値が大きいほど、空調されている室内の環境に比べ、室外の環境が快適でないといえる。
【００４９】
また、一般的に多量の紫外線を浴びることは人体に悪い影響を及ぼすことが知られている。ここでは、室外の紫外線量と室内の紫外線量とを比較し、その差が大きい場合に、室外における紫外線量が大きいため、室外の環境が快適でないものとする。リモコン４００は、以下の式を使用して室外の紫外線量と室内の紫外線量の差分Ｄ４を求める。
紫外線量の差分Ｄ４＝室外の紫外線量−室内の紫外線量
【００５０】
以上のように算出した、室外環境と室内環境の差分Ｄ３と、紫外線量の差分Ｄ４とを組み合わせた値から外出推奨度を求める。ここでは、室外環境と室内環境の差分Ｄ３と紫外線量の差分Ｄ４とを乗じた値の絶対値を、外出推奨度とする。リモコン４００は、以下の式に示すように、室外環境と室内環境の差分Ｄ３と紫外線量の差分Ｄ４とを乗じ、外出推奨度を算出する。
外出推奨度Ｓ＝｜室外環境と室内環境の差分Ｄ３×紫外線量の差分Ｄ４｜
【００５１】
さらに、リモコン４００は、メモリ４４０のアドバイステーブル４４４を参照して、算出した外出推奨度Ｓに対応する段階と、アドバイスの情報とを取得する。リモコン４００は、表示装置４６０を制御して、図５に示すリモコン４００の液晶画面４６２に外出推奨度Ｓに対応する段階とアドバイスの情報とを表示させる。このように、リモコン４００は、外出推奨度を特定し、特定した外出推奨度に基づいてアドバイスを提示する。
【００５２】
次に、上記構成を有する空気調和機１の動作を説明する。空気調和機１は、リモコン４００からの指示に従って、室内機３００と室外機５００が協働して空気調和の動作を行う。一方で、空気調和機１は、室外情報取得装置１０、室内情報取得装置２０、室内機３００、室外機５００が協働して、室内情報と室外情報の解析及び外出に関するアドバイスの報知（提示）に係る動作を行う。
【００５３】
空気調和機１が行う室内情報と室外情報の解析及び外出に関するアドバイスの報知（提示）に係る動作は、室外情報と室内情報の取得に係る処理、室外情報と室内情報の記録に係る処理、室外情報と室内情報の解析に係る処理、から成る。
【００５４】
まず、室外情報と室内情報の取得に係る処理を説明する。
図７に、室外情報取得装置１０が行う室外情報の取得処理のフローチャートを示す。図示するように、室外情報取得装置１０に電源が投入されている間、ＭＰＵ１５０は、メモリ１４０に格納されているプログラムを実行して、以下の室外情報取得処理を行う。
【００５５】
ＭＰＵ１５０は、定期的にＲＴＣ１３０から現在時刻を取得し、室外情報を取得する予定時刻（毎時０分又は毎時３０分）であるか否かを判別し（ステップＳ１０１）、なったと判別すると（ステップＳ１０１;Ｙｅｓ）、室外温度、室外湿度、室外の紫外線量を取得する（ステップＳ１０２）。具体的には、ＭＰＵ１５０は、室外測定部１１０に、室外温度、室外湿度、室外の紫外線量の測定を指示する。室外測定部１１０は、温度センサ１１１により室外温度を、湿度センサ１１２により室外湿度を、紫外線センサ１１３により室外の紫外線量を測定する。室外測定部１１０は、室外温度、室外湿度、室外の紫外線量の各測定値をＭＰＵ１５０に出力する。ＭＰＵ１５０は、室外測定部１１０から供給された各測定値を、ＲＴＣ１３０から取得した現在時刻とともに、室外情報テーブル１４１に格納する（ステップＳ１０３）。ＭＰＵ１５０は、再びＳ１０１の処理へ戻る。
【００５６】
一方、ステップＳ１０１で、ＭＰＵ１５０は、室外情報を取得する予定時刻（毎時０分又は毎時３０分）でないと判別すると（ステップＳ１０１;Ｎｏ）、室外情報をリモコン４００に送信する予定時刻（毎時２０分又は毎時５０分）であるか否かを判別する（ステップＳ１０４）。ＭＰＵ１５０は、予定時刻になったと判別すると（ステップＳ１０４;Ｙｅｓ）、室外情報テーブル１４１に格納されている室外情報の測定値のうち取得時刻が最新の測定値（室外温度、室外湿度、室外の紫外線量の測定値）を、ＲＦモジュール１２０を介してリモコン４００に送信する（ステップＳ１０５）。ステップＳ１０５の処理を実行した後、ＭＰＵ１５０は、再びステップＳ１０１以降の処理を繰り返す。また、ステップＳ１０４で、室外情報の送信予定時刻ではないと判別した場合（ステップＳ１０４；Ｎｏ）、ＭＰＵ１５０は、再びステップＳ１０１に戻る。以上が、室外情報取得装置１０が行う室外情報の取得処理である。
【００５７】
図８に、室内情報取得装置２０が行う室内情報（室内の紫外線量）の取得処理のフローチャートを示す。室内情報取得装置２０に電源が投入されている間、室内情報取得装置２０のＭＰＵ２５０は、メモリ２４０に格納されているプログラムを実行して、図８に示す室内情報の取得処理を行う。この取得処理は、図７に示す室外情報の取得処理とほぼ同様であるが、ＭＰＵ２５０は、室内情報として室内の紫外線量のみ測定し、測定値を室内情報テーブル２４１に格納する（ステップＳ２０２、２０３）。さらに、ＭＰＵ２５０は、ステップＳ２０５で、最新の室内の紫外線量の測定値をリモコン４００に送信する。以上が、室内情報取得装置２０が行う室内情報（室内の紫外線量）の取得処理である。
【００５８】
図９に、室内機３００が行う室内情報（室内温度、室内湿度）の取得処理のフローチャートを示す。空気調和機１の運転中、室内機３００のＭＰＵ３５０は、メモリ３４０に格納されているプログラムを実行して、図９に示す室内情報の取得処理を行う。この取得処理は、図７に示す室外情報の取得処理とほぼ同様であるが、ＭＰＵ３５０は、室内情報の測定値を定期的にリモコン４００に送信しない。ＭＰＵ３５０は、ステップＳ３０４で、リモコン４００から室内情報を要求する情報信号を受信したときに（ステップＳ３０４；Ｙｅｓ）、最新の室内温度と室内湿度の測定値をリモコン４００に送信する（ステップＳ３０５）。一方、ステップＳ３０４で、リモコン４００からの室内情報の要求がないと判別した場合（ステップＳ３０４；Ｎｏ）、ＭＰＵ３５０は、再びステップＳ３０１の処理へ戻る。以上が、室内機３００が行う室内情報（室内温度、室内湿度）の取得処理である。
【００５９】
次に、室外情報と室内情報の記録に係る処理を説明する。リモコン４００は、室外情報取得装置１０と室内情報取得装置２０から受信した室内情報と室外情報をメモリ４４０に記録する。空気調和機１の運転中、リモコン４００のＭＰＵ４５０は、決められた時間間隔で（例えば、１０分間隔）、メモリ４４０に格納されているプログラムを実行して図１０に示す処理を行う。ＭＰＵ４５０は、室外情報取得装置１０から、室外情報の測定値を受信したか否かを判別する（ステップＳ４０１）。ＭＰＵ４５０は、室外情報の測定値を受信したと判別すると（ステップＳ４０１；Ｙｅｓ）、受信した室外情報の各測定値をＲＴＣ４３０から取得した現在時刻とともに、室外情報テーブル４４１に更新記録する（ステップＳ４０２）。一方、ＭＰＵ４５０は、室外情報の測定値を受信していない判別すると（ステップＳ４０１；Ｎо）、ステップＳ４０３に進む。
【００６０】
ＭＰＵ４５０は、室内情報取得装置２０から、室内情報（室内の紫外線量）の測定値を受信したか否かを判別する（ステップＳ４０３）。ＭＰＵ４５０は、室内の紫外線量の測定値を受信したと判別すると（ステップＳ４０３；Ｙｅｓ）、室内機３００に、室内温度と室内湿度の測定値を要求する情報信号を、ＲＦモジュール４２０を介して送信する（ステップＳ４０４）。一方、ＭＰＵ４５０は、ステップＳ４０３で、室内情報取得装置２０から室内の紫外線量の測定値を受信していないと判別すると（ステップＳ４０３；Ｎо）、室外情報と室内情報の記録処理を終了する。
【００６１】
ＭＰＵ４５０は、室内機３００から室内温度、室内湿度の各測定値を受信すると（ステップＳ４０５；Ｙｅｓ）、室内機３００から受信した測定値とステップＳ３０２で室内情報取得装置２０から受信した測定値とを、現在時刻とともに、室内情報テーブル４４２に更新記録する（ステップＳ４０６）。その後、ＭＰＵ４５０は、室外情報と室内情報の記録処理を終了する。一方、ＭＰＵ４５０は、ステップＳ４０５で、室内機３００から決められた期間に測定値を受信しなかった場合（ステップＳ４０５；Ｎо）、室外情報と室内情報の記録処理を終了する。このようにして、リモコン４００の室外情報テーブル４４１と室内情報テーブル４４２には、定期的に最新の室外情報と室内情報の測定値が記録される。
【００６２】
次に、室外情報と室内情報の解析に係る処理を説明する。リモコン４００は、室外情報及び室内情報を解析し、外出算出度を特定する。図１１にリモコン４００の室外情報解析処理のフローチャートを示す。
【００６３】
ユーザは、空気調和機１に外出に関するアドバイスを要求するため、空気調和機１の運転中、図５に示すリモコン４００のお知らせボタン４１７を押下する。リモコン４００のＭＰＵ４５０は、お知らせボタン４１７が押下されたと判別すると、メモリ４４０に格納されているプログラムを実行して、図１１に示す処理を行う。なお、このとき、室外情報取得装置１０、室内情報取得装置２０、室内機３００は、図７〜９に示す室外情報、室内情報の取得処理を決められたタイミングで実行している。また、リモコン４００は、室内情報と室外情報の記録処理を決められたタイミングで実行しており、リモコン４００の室外情報テーブル４４１、室内情報テーブル４４２には、最新の室外情報及び室内情報の測定値が格納されている。
【００６４】
ＭＰＵ４５０は、室外情報テーブル４４１から読み出した室外温度と室外湿度の測定値から室外における不快指数を求め、室外における不快指数と最適値（６７．５）の差の絶対値である差分Ｄ１を求める（ステップＳ５０１）。続いて、ＭＰＵ４５０は、室内情報テーブル４４２から読み出した室内温度と室内湿度の測定値から、室内における不快指数を求め、室内における不快指数と最適値（６７．５）の差の絶対値である差分Ｄ２を求める（ステップＳ５０２）。次に、ＭＰＵ４５０は、室外環境と室内環境の差分Ｄ３として、ステップＳ５０１で求めた差分Ｄ１とステップＳ５０２で求めた差分Ｄ２の差の絶対値を求める（ステップＳ５０３）。続いて、ＭＰＵ４５０は、室外情報テーブル４４１、室内情報テーブル４４２から読み出した室外と室内の紫外線量の測定値の差分Ｄ４を求める（ステップＳ５０４）。
【００６５】
次に、ＭＰＵ４５０は、ステップＳ５０３で求めた差分Ｄ３とステップＳ５０４で求めた差分Ｄ４とを乗じた値を外出推奨度として求める（ステップＳ５０５）。ＭＰＵ４５０は、求めた外出推奨度に関する情報（外出推奨度に対応する段階とアドバイス）を図６Ｃに示すアドバイステーブル４４４から取得する。ＭＰＵ４５０は、外出推奨度に関する情報を図５に示すようにリモコン４００の液晶画面４６２に表示する（ステップＳ５０６）。その後、ＭＰＵ４５０は、室外情報解析処理を終了する。以上が、リモコン４００の室外情報及び室内情報の解析及び外出推奨度の特定に係る処理である。
【００６６】
上述したように、空気調和機１は、室外及び室内の環境に関する物理量である室外情報及び室内情報から外出推奨度を特定し、外出に関するアドバイス等の情報をリモコン４００の液晶画面４６２に表示する。よって、室内にいるユーザは、室内にいながらにして、室内環境と比較して室外環境がどの程度快適あるいは不快であるかを知ることができる。よって、ユーザは、室外環境を考慮した行動を取ることができる。例えば、ユーザは、外出推奨に関するアドバイスを考慮して予定（例えば、庭の花壇の手入れをする予定）を先延ばしにすることが可能となる。
【００６７】
その他、この発明は上記実施の形態に限定されず、種々の変形及び応用が可能である。
【００６８】
上述の実施の形態では、外出推奨度の報知の一態様として、外出推奨度に関する情報をリモコン４００の液晶画面４６２に表示する例を説明した。しかし、外出推奨度の報知の態様は視認可能な態様に限られない。例えば、リモコン４００にスピーカを備え、外出推奨度に関する情報をスピーカから音声により報知してもよい。また、リモコン４００は、他のコンピュータ、携帯端末等に無線／有線通信により外出推奨度に関する情報を送信してもよい。この場合、リモコン４００から外出推奨度に関する情報を受信した他のコンピュータ、携帯端末等が、自機のディスプレイ、スピーカ等を介して外出推奨度に関する情報を報知する。
【００６９】
また、室外情報取得装置１０は屋外に設置しなくてもよい。室外情報取得装置１０を室内に設置し、室外に設置された室外情報取得装置１０とは別個の装置に室外測定部１１０を設けてもよい。この場合、屋外の別個の装置に設けられた室外測定部１１０は、取得した室外情報の測定値を、室内の室外情報取得装置１０に無線あるいは有線通信により送信する。例えば、ＨＥＭＳ（Home Energy Management System）コントローラを室外情報取得装置１０（室外測定部１１０を除いた）として機能させ、屋外に設置された各種センサが室外測定部１１０として機能させるようにしてもよい。
【００７０】
あるいは、室外測定部１１０に含まれる各センサを室外機５００に設けてもよい。なお、室外機５００に、室外測定部１１０を設ける場合、室外機５００の熱交換の排熱などによる影響を受けない場所に設置する必要がある。
【００７１】
また、温度センサ１１１、湿度センサ１１２、紫外線センサ１１３は、必ずしも同一箇所に設置される必要はない。温度センサ１１１、湿度センサ１１２、紫外線センサ１１３はそれぞれ正確な測定値を取得できるよう、離れた場所に設置されてもよい。また、室外測定部１１０は、複数の場所に設置された複数の温度センサ１１１、湿度センサ１１２、紫外線センサ１１３を備え、室外情報取得装置１０は、複数の温度センサ１１１、湿度センサ１１２、紫外線センサ１１３により測定された測定値の平均値をリモコン４００に送信するようにしてもよい。
【００７２】
上述の実施の形態においては、リモコン４００と、室外情報取得装置１０と室内情報取装置２０と室内機３００（以下、情報取得装置）とは、無線通信により情報信号の送受信を行ったが、リモコン４００と他の装置とは有線通信を行ってもよい。また、リモコン４００と、他の装置との通信経路上には、無線通信と有線通信とが混在してもよい。例えば、室外情報取得装置１０が送信するデータは、無線ＬＡＮルータと有線ＬＡＮ回線を介してリモコン４００に送信されてもよい。
【００７３】
上述の実施の形態においては、リモコン４００の室外情報テーブル４４１と室内情報テーブル４４２には、リモコン４００が室外情報テーブル４４１と室内情報テーブル４４２に測定値を格納するときに、ＲＴＣ４３０により掲示された現在時刻が記録されている。あるいは、情報取得装置は、リモコン４００に、測定値と併せて、その測定値を各センサから取得した時刻（図２、図３、図４に示す取得時刻）の情報を送信し、リモコン４００は、情報取得装置から受信した時刻の情報を室外情報テーブル４４１と室内情報テーブル４４２に格納してもよい。
【００７４】
また、空気調和機１は、ある一定の範囲内（例えば、同一の建物内）に設置されている複数の室内機３００を含んでいてもよい。このとき、空気調和機１は、室内機３００の台数と同数の室外機５００を含んでいてもよい。あるいは、空気調和機１は、複数の室内機３００に対して、室内機３００の台数より少ない室外機５００を含んでいてもよい。室外情報取得装置１０及び室内情報取得装置２０は、室外情報及び室内情報の測定値を、各室内機３００に備えられたリモコン４００それぞれに送信する。各リモコン４００は、室外情報取得装置１０及び室内情報取得装置２０から供給された室外情報及び室内情報と、対応する室内機３００から供給された室内情報（室内温度と室内湿度）とを解析し、外出推奨度を算出することができる。また、空気調和機１は、複数の室内機３００を集中制御するリモコン４００を１個だけ備えていてもよい。この場合、１個のリモコン４００が、室外情報取得装置１０及び室内情報取得装置２０から供給された室外情報及び室内情報と、各室内機３００から供給された室内情報とを解析し、外出推奨度を算出する。
【００７５】
また、上述の実施の形態においては、リモコン４００が外出推奨度を算出したが、例えば、室内機３００、あるいは室外情報取得装置１０が、室内情報と室外情報とを解析し、外出推奨度を算出してもよい。この場合、室外情報、室内情報を測定する装置（室外情報取得装置１０、室内情報取得装置２０、室内機３００）は、室内機３００、あるいは室外情報取得装置１０に測定したデータを送信する。
【００７６】
また、上述の実施の形態においては、室内情報、室外情報は、温度（気温）、湿度、紫外線量の情報を含んでいた。あるいは、室外情報取得装置１０の室外測定部１１０は、さらに風速センサを備え、室外の風速を測定してもよい。リモコン４００は、室外測定部１１０が取得した風速の計測値が決められた閾値より大きい場合、算出した室外における不快指数を決められた値だけ加減してもよい。例えば、夏の場合、室外における不快指数を決められた値だけ小さくし（つまり、不快指数を快い値に近づける）、冬の場合、室外における不快指数を大きくし（つまり、不快指数を快い値に近づける）てもよい。リモコン４００は、風速を加味した不快指数から、外出推奨度を求める。
【００７７】
上述の実施の形態においては、室外における不快指数と室内における不快指数の差と、室内における紫外線量と室外における紫外線量との差から外出推奨度を算出したが、外出推奨度を求める方法はこれに限られない。不快指数は、温度と湿度の相関から「蒸し暑さ」を計数化したものなので、季節により、異なる方法で外出推奨度を求めてもよい。例えば、冬は、室外温度、室外湿度、室外の風速を使用して、体感温度を求め、体感温度と紫外線量とから外出推奨度を算出してもよい。なお、体感温度の算出方法としては、従来のミスナールの計算式、リンケの計算式等を使用してもよい。
【００７８】
あるいは、外出推奨度は次のように特定してもよい。室外情報と室内情報から外出指数を求め、あらかじめ定義されている外出指数と外出推奨度の対応表を参照して、求めた外出指数に対応する外出推奨度を求めてもよい。
【００７９】
外出指数は、例えば、下記の式に示すように、室外と室内の温度、湿度、紫外線量の差分をそれぞれ２乗したものの平方根をとって求めてもよい。
外出指数Ｉ＝（（室外温度−室内温度）２＋（室外湿度−室内湿度）２＋（室外の紫外線量−室内の紫外線量）２）１/２
また、あらかじめ、メモリ４４０に、外出指数と外出を推奨する段階、アドバイスの対応づけを定義した外出指数テーブルを用意しておき、外出指数テーブルを参照して、求めた外出指数に対応する、段階、アドバイスなどを提示することができる。
【００８０】
室外情報取得装置１０の室外測定部１１０は、さらに、雨滴センサを含み、室外で雨が降っているか否かを検出してもよい。リモコン４００は、室外測定部１１０により、室外で雨が降っていることが検出された場合、外出を勧めない値に近づけるよう上述の方法により算出した外出推奨度の値を変更してもよい。
【００８１】
さらに、室外情報取得装置１０の室外測定部１１０は、大気汚染物質を検出する機能を備えてもよい。例えば、室外測定部１１０は、光化学スモッグの原因となる光化学オキシダント（Photochemical Oxidant）、浮遊粒子状物質（Suspended Particulate Matter;SPM）、微少粒子物質（ＰＭ２．５）を検出する。リモコン４００は、検出された大気汚染物質の量に応じて、外出を勧めない値に近づけるよう上述の方法により算出した外出推奨度の値を変更する。
【００８２】
また、冬であれば、室外と室内の紫外線の差が小さい場合もあることから、例えば、夏と冬で、外出推奨度の算出方法を変えてもよい。例えば、冬は、不快指数のみを考慮して、外出推奨度を算出するようにしてもよい。
【００８３】
さらに、図６Ｃに示すアドバイステーブル４４４は通年で同じテーブルを使用するのではなく、例えば、季節毎、あるいは月毎に用意されたアドバイステーブル４４４を使用するようにしてもよい。このようにすることで、季節等に応じた適切なアドバイスをユーザに提案することができる。
【００８４】
また、リモコン４００のメモリ４４０に、ユーザの年齢に応じた複数のアドバイステーブル４４４と、室内機３００が設置されている部屋の主な居住者の年齢とを格納しておいてもよい。ユーザが乳幼児あるいは高齢者に該当する場合、夏場の高温多湿な室外環境が健康に及ぼす影響が大きい。このため、算出された外出推奨度Ｓの値がそこまで大きくない場合でも外出を控えるようなアドバイスができるように、幼児と高齢者向けのアドバイステーブル４４４と、通常のアドバイステーブル４４４を用意しておく。
【００８５】
また、上述の実施の形態では、リモコン４００は、ある時点（現在時刻から最も近い前回の計測時刻）の室外情報と室内情報の測定値から外出推奨度を特定した。さらに、リモコン４００は、決められた期間内の室外情報と室内情報の測定値から特定あるいは想定される情報を報知してもよい。例えば、リモコン４００は、現在時刻より３時間前までに測定された室外情報の測定値から、将来の室外環境の変化（今度、さらに室外の温度が上昇する等）を予測して、予測内容をユーザに報知することが可能である。
【００８６】
また、上述の実施の形態では、リモコン４００が解析する室外情報及び室内情報を、室外及び室内の温度、湿度、紫外線量の測定値としたが、リモコン４００が解析する室外情報及び室内情報は実際に測定された測定値でなくてもよい。例えば、ある期間内に測定された室外の温度、湿度、紫外線量等の測定値から作成された統計データを室外情報としてもよい。室内情報については、ユーザにより設定された室内温度、室内湿度の設定値を室内情報としてもよい。この場合、リモコン４００は、あらかじめメモリ等に格納された室外情報の統計データ、室内温度と室内湿度の設定値を解析対象とする。
【００８７】
以下の説明において、室外の環境に関する情報（物理量）には、室外の温度、室外の湿度、室外の紫外線量の測定値が含まれる。室外の温度、室外の湿度、室外の紫外線量の測定値をまとめて室外情報という場合がある。室内の環境に関する情報（物理量）には、室内の空気の温度、室内の空気の湿度、室内の紫外線量の測定値が含まれる。室内の空気の温度、室内の空気の湿度、室内の紫外線量の測定値をまとめて室内情報という場合がある。
【００８８】
上述の実施の形態では、室外の快適さの度合い（外出推奨度）が、図６Ｃに示すように、複数の値を含むものとして説明したが、本発明においては、外出推奨度は、２つの値だけを含むものであってもよい。例えば、リモコン４００は、上述の外出推奨度の式で求めた外出推奨度Ｓの値が、決められた閾値を超えるか否かに応じて、外出推奨度Ｓの値を２値化し、２値に対応する「室外に外出可能である」／「外出は不可能である」のいずれかのアドバイスを提案してもよい。
【００８９】
上述の実施形態においては、本発明の室外環境情報解析システムを室外環境情報解析機能を備える空気調和機を例に説明したが、本発明の実施の形態はこれに限られない。本発明に係る室外環境情報解析システムは、上述したような室外環境情報解析機能を備える他の電気機器によっても実現可能である。他の電気機器の例としては、ＴＶドアホン、インターホン、給湯器等の室外機と室内機を備えた電気機器が望ましい。
【００９０】
また、本発明に係る室外環境情報解析システムは、室外環境情報解析機能を備える特定の電気機器によらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行する室外環境情報解析システムを構成してもよい。
【００９１】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行する室外環境情報解析システムとして機能する。
【００９２】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、請求の範囲によって示される。そして、請求の範囲内及びそれと同等の発明の意義の範囲内で施される様々な変形が、この発明の範囲内とみなされる。
【産業上の利用可能性】
【００９３】
本発明によれば、空気調和機などの電気機器が、室外と室内の環境の差に基づいて、室外の快適さの度合いを示す情報を室内にいるユーザに報知することができる。
【符号の説明】
【００９４】
１  空気調和機、１０  室外情報取得装置、２０  室内情報取得装置、１１０  室外測定部、１１１，３１１  温度センサ、１１２，３１２  湿度センサ、１１３，２１１  紫外線センサ、１２０，２２０，３２０，４２０  ＲＦモジュール、１３０，２３０，３３０，４３０  ＲＴＣ、１４０，２４０，３４０，４４０  メモリ、１４１，４４１  室外情報テーブル、１５０，２５０，３５０，４５０  ＭＰＵ、２１０  室内測定部、２４１，３４１，４４２  室内情報テーブル、３００  室内機、３１０  室内測定部、４００  リモコン、４１０  入力装置、４４３  数式テーブル、４４４  アドバイステーブル、４６０  表示装置、４６１，４６２  液晶画面、５００  室外機。
【図１】
2016166815.tif 000003
【図２】
2016166815.tif 000004
【図３】
2016166815.tif 000005
【図４】
2016166815.tif 000006
【図５】
2016166815.tif 000007
【図６Ａ】
2016166815.tif 000008
【図６Ｂ】
2016166815.tif 000009
【図６Ｃ】
2016166815.tif 000010
【図７】
2016166815.tif 000011
【図８】
2016166815.tif 000012
【図９】
2016166815.tif 000013
【図１０】
2016166815.tif 000014
【図１１】
2016166815.tif 000015
【手続補正書】
【提出日】平成29年5月8日(2017.5.8)
【手続補正１】
【補正対象書類名】明細書
【補正対象項目名】０００７
【補正方法】変更
【補正の内容】
【０００７】
上記目的を達成するため、本発明に係る室外環境情報解析システムの室外情報取得部は、室外環境の状態を特定するための室外情報を取得する。室内情報取得部は、室内環境の状態を特定するための室内情報を取得する。特定部は、室外環境の状態と室内環境の状態とに基づいて、室外の快適さの度合いを特定する。報知部は、室外の快適さの度合いを示す情報を出力する。室外情報取得部は、室外情報として、室外温度と室外湿度と室外の紫外線量の各測定値を取得する。室内情報取得部は、室内情報として、室内温度と室内湿度と室内の紫外線量の各測定値を取得する。特定部は、室外情報により特定される室外環境の状態と、室内情報により特定される室内環境の状態と、の差に基づいて、室外の快適さの度合いを特定する。
【手続補正２】
【補正対象書類名】特許請求の範囲
【補正対象項目名】全文
【補正方法】変更
【補正の内容】
【特許請求の範囲】
【請求項１】
室外環境の状態を特定するための室外情報を取得する室外情報取得部と、
室内環境の状態を特定するための室内情報を取得する室内情報取得部と、
前記室外環境の状態と前記室内環境の状態とに基づいて、室外の快適さの度合いを特定する特定部と、
前記室外の快適さの度合いを示す情報を出力する報知部と、
を備え、
前記室外情報取得部は、前記室外情報として、室外温度と室外湿度と室外の紫外線量の各測定値を取得し、
前記室内情報取得部は、前記室内情報として、室内温度と室内湿度と室内の紫外線量の各測定値を取得し、
前記特定部は、前記室外情報により特定される前記室外環境の状態と、前記室内情報により特定される前記室内環境の状態と、の差に基づいて、前記室外の快適さの度合いを特定する、
室外環境情報解析システム。
【請求項２】
前記特定部は、前記室外温度及び前記室外湿度から室外における不快指数を、前記室内温度及び前記室内湿度から室内における不快指数を求め、前記室外における不快指数と前記室内における不快指数の差と、前記室外の紫外線量と前記室内の紫外線量の差と、に基づいて、前記室外の快適さの度合いを特定する、
請求項１に記載の室外環境情報解析システム。
【請求項３】
前記室外情報取得部が取得する前記室外情報には、さらに室外の風速の測定値が含まれ、
前記室外の風速が決められた閾値より大きいあるいは小さい場合に、前記特定部は、前記室外温度及び前記室外湿度から求めた前記室外における不快指数の値を加減する、
請求項２に記載の室外環境情報解析システム。
【請求項４】
前記特定部は、前記室外温度及び前記室外湿度から室外における体感温度を、前記室内温度及び前記室内湿度から室内における体感温度を求め、前記室外における体感温度と前記室内における体感温度の差に基づいて、前記室外の快適さの度合いを特定する、
請求項１に記載の室外環境情報解析システム。
【請求項５】
室外環境の状態を特定するための室外情報を取得する室外情報取得ステップと、
室内環境の状態を特定するための室内情報を取得する室内情報取得ステップと、
前記室外環境の状態と前記室内環境の状態とに基づいて、室外の快適さの度合いを特定する特定ステップと、
前記室外の快適さの度合いを示す情報を出力する報知ステップと、
を有し、
前記室外情報取得ステップでは、前記室外情報として、室外温度と室外湿度と室外の紫外線量の各測定値を取得し、
前記室内情報取得ステップでは、前記室内情報として、室内温度と室内湿度と室内の紫外線量の各測定値を取得し、
前記特定ステップでは、前記室外情報により特定される前記室外環境の状態と、前記室内情報により特定される前記室内環境の状態と、の差に基づいて、前記室外の快適さの度合いを特定する、
室外環境情報解析方法。
【請求項６】
コンピュータに、
室外環境の状態を特定するための室外情報を取得する室外情報取得機能と、
室内環境の状態を特定するための室内情報を取得する室内情報取得機能と、
前記室外環境の状態と前記室内環境の状態とに基づいて、室外の快適さの度合いを特定する特定機能と、
前記室外の快適さの度合いを示す情報を出力する報知機能と、
を実現させ、
前記室外情報取得機能で、前記室外情報として、室外温度と室外湿度と室外の紫外線量の各測定値を取得させ、
前記室内情報取得機能で、前記室内情報として、室内温度と室内湿度と室内の紫外線量の各測定値を取得させ、
前記特定機能で、前記室外情報により特定される前記室外環境の状態と、前記室内情報により特定される前記室内環境の状態と、の差に基づいて、前記室外の快適さの度合いを特定させる、
プログラム。
【国際調査報告】
2016166815.tif 000016
2016166815.tif 000017